(57)【要約】【課題】不必要な鍵の使用を制限し、鍵の不正使用を防止でき、セキュリティを向上させた鍵管理装置と貨幣処理装置とからなるシステムを提供する。【解決手段】本実施形態のシステムは、貨幣処理装置と鍵管理装置とを備え、貨幣処理装置は、該貨幣処理装置の内部へのアクセスを許可または禁止するように構成されたロック部と、ロック部の解錠を許可または禁止するように構成された複数の解錠阻止部とを備え、鍵管理装置は、ロック部を少なくとも解錠する鍵部を着脱可能に保持する鍵保持部と第１の鍵部および該第１の鍵部に対応する第１のロック部を特定するためのイベント情報を入力する入力部と、イベント情報に基づいて第１の鍵部を鍵保持部から取出し可能にするように鍵保持部を制御する制御部とを備え、解錠阻止部は、第１のロック部のみの解錠を許可する。【選択図】図１
2013067975.tif 000002
【特許請求の範囲】
【請求項１】
貨幣処理装置と、該貨幣処理装置と通信可能に接続され該貨幣処理装置に用いられる鍵部を保管する鍵管理装置とを備えた鍵管理装置と貨幣処理装置とからなるシステムであって、
前記貨幣処理装置は、該貨幣処理装置の内部へのアクセスを許可または禁止するように構成された複数のロック部と、前記複数のロック部の解錠を許可または禁止するように構成された複数の解錠阻止部と、前記解錠阻止部を制御する制御部とを備え、
前記鍵管理装置は、前記ロック部を少なくとも解錠する複数の鍵部を着脱可能に保持する鍵保持部と、前記複数の鍵部のうち第１の鍵部および該第１の鍵部に対応する第１のロック部を特定するためのイベント情報を入力する入力部と、前記イベント情報に基づいて前記第１の鍵部を前記鍵保持部から取出し可能にするように前記鍵保持部を制御する制御部とを備え、
前記解錠阻止部は、前記イベント情報によって特定される前記第１のロック部のみの解錠を許可することを特徴とする鍵管理装置と貨幣処理装置とからなるシステム。
【請求項２】
前記鍵管理装置は、前記貨幣処理装置の前記ロック部を識別するロック部識別情報と前記ロック部に対応する鍵部を識別する鍵識別情報とを関連付けて記憶する記憶部をさらに備え、
前記イベント情報は、前記第１のロック部の前記ロック部識別情報または前記第１の鍵部の前記鍵識別情報を含み、
前記鍵管理装置の前記制御部は、前記イベント情報に基づいて、前記第１の鍵部を前記鍵保持部から取出し可能にするとともに、前記鍵保持部から前記第１の鍵部以外の他の鍵部の取出しを禁止することを特徴とする請求項１に記載の鍵管理装置と貨幣処理装置とからなるシステム。
【請求項３】
前記貨幣処理装置は、前記ロック部を識別するロック部識別情報を記憶する記憶部と、前記イベント情報を前記鍵管理装置から受け取る入力部とをさらに備え、
前記イベント情報は、前記第１のロック部の前記ロック部識別情報または前記第１の鍵部の前記鍵識別情報を含み、
前記解錠阻止部は、前記イベント情報に基づいて、前記第１の鍵部に対応する前記ロック部を解錠可能にするとともに、それ以外のロック部を解錠禁止にすることを特徴とする請求項１または請求項２に記載の鍵管理装置と貨幣処理装置とからなるシステム。
【請求項４】
前記貨幣処理装置の前記入力部は、前記貨幣処理装置と通信接続されたインタフェースであり、
前記イベント情報は、前記貨幣処理装置において生成され、前記貨幣処理装置から前記鍵管理装置へ送信されることを特徴とする請求項１から請求項３のいずれかに記載の鍵管理装置と貨幣処理装置とからなるシステム。
【請求項５】
前記鍵管理装置の前記入力部は、前記鍵管理装置への操作によって前記イベント情報が入力され、
前記イベント情報は、前記鍵管理装置から前記貨幣処理装置へ送信されることを特徴とする請求項１から請求項３のいずれかに記載の鍵管理装置と貨幣処理装置とからなるシステム。
【請求項６】
前記解錠阻止部は、電磁式ロックで構成されていることを特徴とする請求項１から請求項５のいずれかに記載の鍵管理装置と貨幣処理装置とからなるシステム。
【請求項７】
前記記憶部は、前記第１の鍵部が前記鍵保持部に返却された場合に、前記第１の鍵部の前記鍵識別情報を含む前記イベント情報と、前記第１の鍵部の取出し日時と、前記第１の鍵部の返却日時とを関連付けて記憶することを特徴とする請求項２に記載の鍵管理装置と貨幣処理装置とからなるシステム。
【請求項８】
前記記憶部は、前記第１の鍵部が前記鍵保持部に返却された場合に、前記第１の鍵部の前記鍵識別情報を含む前記イベント情報と、前記第１の鍵部の取出し日時と、前記第１の鍵部の返却日時とを関連付けて記憶し、
前記第１の鍵部が前記鍵管理装置に返却される前に、前記第１の鍵部が必要となる追加イベント情報が前記鍵管理装置の前記入力部に入力された場合、前記鍵管理装置は、前記第１の鍵部に対応する前記ロック部のみの解錠を許可し、その後、前記第１の鍵部が前記鍵保持部に返却された場合に、前記第１の鍵部の前記鍵識別情報を含む前記イベント情報と、前記追加イベント情報と、前記第１の鍵部の取出し日時と、前記第１の鍵部の返却日時とを関連付けて記憶することを特徴とする請求項２から請求項４のいずれかに記載の鍵管理装置と貨幣処理装置とからなるシステム。
【請求項９】
前記第１の鍵部は、複数の鍵と該鍵をまとめて保持するキーホルダーとを含み、
前記イベント情報は、前記キーホルダーに保持される鍵のうちの１つの鍵を特定することを特徴とする請求項１から請求項８のいずれかに記載の鍵管理装置と貨幣処理装置とからなるシステム。
【請求項１０】
貨幣処理装置に通信可能に接続され該貨幣処理装置に用いる鍵部を保管する鍵管理装置であって、
前記貨幣処理装置の複数のロック部を少なくとも解錠する複数の鍵部を着脱可能に保持する鍵保持部と、
前記鍵部のうち第１の鍵部および前記第１の鍵部に対応する第１のロック部を特定するためのイベント情報を入力する入力部と、
前記イベント情報に基づいて前記第１の鍵部を前記鍵保持部から取出し可能にするように前記鍵保持部を制御する制御部と、
前記貨幣処理装置の前記ロック部を識別するロック部識別情報と前記ロック部に対応する鍵部を識別する鍵識別情報とを関連付けて記憶する記憶部と、
前記イベント情報を前記貨幣処理装置へ送信する送信部とを備え、
前記鍵管理装置の前記制御部は、前記イベント情報に基づいて、前記第１の鍵部を前記鍵保持部から取出し可能にするとともに、前記鍵保持部から前記第１の鍵部以外の他の鍵部を取り出すことを禁止することを特徴とする鍵管理装置。
【請求項１１】
鍵を含む鍵部を保管する鍵管理装置と通信可能に接続された貨幣処理装置であって、
前記貨幣処理装置の内部へのアクセスを許可または禁止するように構成された複数のロック部と、
前記ロック部の解錠を許可または禁止するように構成された複数の解錠阻止部と、
前記解錠阻止部を制御する制御部と、
前記貨幣処理装置の前記ロック部を識別するロック部識別情報を記憶する記憶部とを備え、
前記鍵部のうち第１の鍵部に対応する第１のロック部を特定するためのイベント情報を入力または生成し、
前記解錠阻止部は、前記イベント情報に基づいて、前記第１の鍵部に対応する前記ロック部を解錠可能にするとともに、それ以外のロック部を解錠禁止にすることを特徴とする貨幣処理装置。
【発明の詳細な説明】
【技術分野】
【０００１】
本発明は、鍵管理装置と貨幣処理装置とからなるシステムおよび貨幣処理装置に係わり、例えば、金融機関において貨幣の出し入れを行いその貨幣を収納する貨幣処理装置、そのような貨幣処理装置の鍵を保管する鍵管理装置、並びに、そのような貨幣処理装置と鍵管理装置とからなるシステムに関する。
【背景技術】
【０００２】
銀行等の金融機関の店舗には、店舗内の貨幣の入金および出金を管理する様々な貨幣処理装置（例えば、窓口機、整理機、出納機、両替機、ＡＴＭ等）が設けられている。このような様々な貨幣処理装置の鍵は、従来から鍵管理装置によって一元管理されていた。鍵管理装置は、複数のキーホルダーを保管し、必要に応じて特定のキーホルダーの取出しを許可するように構成されている。
【先行技術文献】
【特許文献】
【０００３】
【特許文献１】特開２００９−２４３０５５号公報
【特許文献２】特開平６−１６７１４６号公報
【発明の開示】
【発明が解決しようとする課題】
【０００４】
しかし、複数の鍵が同一のキーホルダーにまとめて繋がれている実態がある。このような場合、ユーザは、或るキーホルダーに繋がれた複数の鍵のうち１つの鍵のみ必要な場合であっても、同じキーホルダーに繋がれた他の鍵を使用することが可能になってしまう。即ち、鍵管理装置は、同一のキーホルダーに繋がれた複数の鍵のうちいずれの鍵が使用されたかを管理することはできない。例えば、貨幣処理装置の外扉の鍵および貨幣の収納庫の鍵が１つのキーホルダーにまとめて繋がれている場合、ユーザは、外扉の鍵のみが必要であったとしても、収納庫にもアクセスできることになる。また、複数の貨幣処理装置の鍵が１つのキーホルダーにまとめてあった場合、ユーザは、或る貨幣処理装置の鍵のみが必要であっても、他の貨幣処理装置の内部にアクセス可能になってしまう。従って、鍵の不正使用が可能となり、セキュリティ上好ましくない。
【０００５】
そこで、本発明は、上述の問題に鑑みてなされたものであり、不必要な鍵の使用を制限し、鍵の不正使用を防止することができ、セキュリティを向上させることができる鍵管理装置と貨幣処理装置とからなるシステム、鍵管理装置、並びに、貨幣処理装置を提供することを目的とする。
【課題を解決するための手段】
【０００６】
本発明による実施形態に従った鍵管理装置と貨幣処理装置とからなるシステムは、貨幣処理装置と、該貨幣処理装置と通信可能に接続され該貨幣処理装置に用いられる鍵部を保管する鍵管理装置とを備えた鍵管理装置と貨幣処理装置とからなるシステムであって、
前記貨幣処理装置は、該貨幣処理装置の内部へのアクセスを許可または禁止するように構成された複数のロック部と、前記複数のロック部の解錠を許可または禁止するように構成された複数の解錠阻止部と、前記解錠阻止部を制御する制御部とを備え、
前記鍵管理装置は、前記ロック部を少なくとも解錠する複数の鍵部を着脱可能に保持する鍵保持部と、前記複数の鍵部のうち第１の鍵部および該第１の鍵部に対応する第１のロック部を特定するためのイベント情報を入力する入力部と、前記イベント情報に基づいて前記第１の鍵部を前記鍵保持部から取出し可能にするように前記鍵保持部を制御する制御部とを備え、
前記解錠阻止部は、前記イベント情報によって特定される前記第１のロック部のみの解錠を許可することを特徴とする。
【０００７】
前記鍵管理装置は、前記貨幣処理装置の前記ロック部を識別するロック部識別情報と前記ロック部に対応する鍵部を識別する鍵識別情報とを関連付けて記憶する記憶部をさらに備え、前記イベント情報は、前記第１のロック部の前記ロック部識別情報または前記第１の鍵部の前記鍵識別情報を含み、前記鍵管理装置の前記制御部は、前記イベント情報に基づいて、前記第１の鍵部を前記鍵保持部から取出し可能にするとともに、前記鍵保持部から前記第１の鍵部以外の他の鍵部の取出しを禁止してもよい。
【０００８】
前記貨幣処理装置は、前記ロック部を識別するロック部識別情報を記憶する記憶部と、前記イベント情報を前記鍵管理装置から受け取る入力部とをさらに備え、前記イベント情報は、前記第１のロック部の前記ロック部識別情報または前記第１の鍵部の前記鍵識別情報を含み、前記解錠阻止部は、前記イベント情報に基づいて、前記第１の鍵部に対応する前記ロック部を解錠可能にするとともに、それ以外のロック部を解錠禁止にしてもよい。
【０００９】
前記貨幣処理装置の前記入力部は、前記貨幣処理装置と通信接続されたインタフェースであり、前記イベント情報は、前記貨幣処理装置において生成され、前記貨幣処理装置から前記鍵管理装置へ送信してもよい。
【００１０】
前記鍵管理装置の前記入力部は、前記鍵管理装置への操作によって前記イベント情報が入力され、前記イベント情報は、前記鍵管理装置から前記貨幣処理装置へ送信されてもよい。
【００１１】
前記解錠阻止部は、電磁式ロックで構成されていてもよい。
【００１２】
前記記憶部は、前記第１の鍵部が前記鍵保持部に返却された場合に、前記第１の鍵部の前記鍵識別情報を含む前記イベント情報と、前記第１の鍵部の取出し日時と、前記第１の鍵部の返却日時とを関連付けて記憶してもよい。
【００１３】
前記記憶部は、前記第１の鍵部が前記鍵保持部に返却された場合に、前記第１の鍵部の前記鍵識別情報を含む前記イベント情報と、前記第１の鍵部の取出し日時と、前記第１の鍵部の返却日時とを関連付けて記憶し、
前記第１の鍵部が前記鍵管理装置に返却される前に、前記第１の鍵部が必要となる追加イベント情報が前記貨幣処理装置の前記入力部に入力された場合、前記鍵管理装置は、前記第１の鍵部に対応する前記ロック部のみの解錠を許可し、その後、前記第１の鍵部が前記鍵保持部に返却された場合に、前記第１の鍵部の前記鍵識別情報を含む前記イベント情報と、前記追加イベント情報と、前記第１の鍵部の取出し日時と、前記第１の鍵部の返却日時とを関連付けて記憶してもよい。
【００１４】
前記第１の鍵部は、複数の鍵と該鍵をまとめて保持するキーホルダーとを含み、
前記イベント情報は、前記キーホルダーに保持される鍵のうちの１つの鍵を特定してもよい。
【００１５】
本発明に係る実施形態に従った鍵管理装置は、貨幣処理装置に通信可能に接続され該貨幣処理装置に用いる鍵部を保管する鍵管理装置であって、
前記貨幣処理装置の複数のロック部を少なくとも解錠する複数の鍵部を着脱可能に保持する鍵保持部と、前記鍵部のうち第１の鍵部および前記第１の鍵部に対応する第１のロック部を特定するためのイベント情報を入力する入力部と、前記イベント情報に基づいて前記第１の鍵部を前記鍵保持部から取出し可能にするように前記鍵保持部を制御する制御部と、前記貨幣処理装置の前記ロック部を識別するロック部識別情報と前記ロック部に対応する鍵部を識別する鍵識別情報とを関連付けて記憶する記憶部と、前記イベント情報を前記貨幣処理装置へ送信する送信部とを備え、
前記鍵管理装置の前記制御部は、前記イベント情報に基づいて、前記第１の鍵部を前記鍵保持部から取出し可能にするとともに、前記鍵保持部から前記第１の鍵部以外の他の鍵部を取り出すことを禁止する。
【００１６】
本発明に係る実施形態に従った貨幣処理装置は、鍵を含む鍵部を保管する鍵管理装置と通信可能に接続された貨幣処理装置であって、
前記貨幣処理装置の内部へのアクセスを許可または禁止するように構成された複数のロック部と、前記ロック部の解錠を許可または禁止するように構成された複数の解錠阻止部と、前記解錠阻止部を制御する制御部と、前記貨幣処理装置の前記ロック部を識別するロック部識別情報を記憶する記憶部とを備え、
前記鍵部のうち第１の鍵部に対応する第１のロック部を特定するためのイベント情報を入力または生成し、
前記解錠阻止部は、前記イベント情報に基づいて、前記第１の鍵部に対応する前記ロック部を解錠可能にするとともに、それ以外のロック部を解錠禁止にする。
【発明の効果】
【００１７】
本発明による鍵管理装置と貨幣処理装置とからなるシステム、鍵管理装置、並びに、貨幣処理装置は、不必要な鍵の使用を制限し、鍵の不正使用を防止することができ、セキュリティを向上させることができる。
【図面の簡単な説明】
【００１８】
【図１】本発明の第１の実施形態に従った鍵管理装置と貨幣処理装置とからなるシステム３００の概略図。
【図２】出納機１００の外観を示す斜視図。
【図３】出納機１００の内部構成の一例を示すブロック図。
【図４】ロック部３４および解錠阻止部４４の構成の一例を示す図。
【図５】鍵管理装置２００の構成を示す斜視図。
【図６】鍵管理装置２００の内部構成を示すブロック図。
【図７】キーホルダー２０４および鍵４００の構成を示す図。
【図８】第１の実施形態に従った鍵管理装置と貨幣処理装置とからなるシステムの動作を示すフロー図。
【図９】第１の実施形態の変形例によるシステムの動作を示すフロー図。
【図１０】本発明に係る第２の実施形態に従った鍵管理装置と貨幣処理装置とからなるシステムの動作を示すフロー図。
【図１１】第２の実施形態に従った鍵管理装置と貨幣処理装置とからなるシステムの動作を示すフロー図。
【図１２】第２の実施形態の変形例によるシステムの動作を示すフロー図。
【図１３】第２の実施形態の変形例によるシステムの動作を示すフロー図。
【発明を実施するための最良の形態】
【００１９】
以下、図面を参照して本発明による実施形態を説明する。本実施形態は、本発明を限定するものではない。
【００２０】
（第１の実施形態）
図１は、本発明の第１の実施形態に従った鍵管理装置と貨幣処理装置とからなるシステム３００の概略図である。このシステム３００は、銀行等の金融機関の店舗内に設置されており、出納機１００および鍵管理装置２００を備えている。出納機１００および鍵管理装置２００は互いにＬＡＮ（Local Area Network）等によって通信可能に接続されている。
【００２１】
貨幣処理装置としての出納機１００は、貨幣を収納することができるように構成されている。鍵管理装置２００は、出納機１００に使用される鍵を保管するように構成されている。鍵管理装置２００に対して複数の出納機１００が通信可能に接続されていてもよい。
【００２２】
図２は、出納機１００の外観を示す斜視図である。出納機１００は、例えば、銀行等の金融機関の店舗内に配置され、その店舗内の現金の在高を管理する。出納機１００は、貨幣を入金または出金することができる。
【００２３】
出納機１００は、束紙幣出金口１０８を有する束紙幣出金装置１１４と、紙幣投入口１０９及び紙幣出金口１１０を有するバラ紙幣入出金装置１１５と、包装硬貨出金口１１１を有する包装硬貨出金装置１１６と、硬貨出金口１１２及び硬貨投入口１１３を有するバラ硬貨入出金装置１１７と、現金外ボックス１１８と、ターミナル部１０３と、出納機の各種操作用のキーを具備する操作部１０４と、操作者の身分確認に使用されるＩＤカード用のＩＤカードリーダ１０１と、エラーなどの各種画面を表示するための表示部１０２と、伝票に印字を行うためのプリンタ１０５とを備えている。尚、表示部１０２は、タッチパネル式にすることによって、操作部１０４の機能も兼ね備えることができる。
【００２４】
束紙幣出金装置１１４、バラ紙幣入出金装置１１５、包装硬貨出金装置１１６およびバラ硬貨入出金装置１１７は、それぞれ貨幣を収納する収納庫１１４ａ〜１１７ａを内部に備えている。また、束紙幣出金装置１１４、バラ紙幣入出金装置１１５、包装硬貨出金装置１１６およびバラ硬貨入出金装置１１７は、それぞれ外カバー２４〜２７によって覆われており、それらの内部の収納庫１１４ａ〜１１７ａには外カバー２４〜２７を開けないとアクセスできないように構成されている。
【００２５】
複数のロック部３４〜３７がそれぞれ外カバー２４〜２７を施錠しており、複数のロック部３４〜３７はそれぞれ異なる鍵で解錠可能となっている。また、複数のロック部１３４〜１３７が収納庫１１４ａ〜１１７ａを施錠しており、複数のロック部１３４〜１３７はそれぞれ異なる鍵で解錠可能となっている。
【００２６】
図３は、出納機１００の内部構成の一例を示すブロック図である。出納機１００は、さらに、制御部１２０、ＲＯＭ（Read Only Memory）１３０、ＲＡＭ(Random Access Memory)１４０、ハードディスクドライブ１６０、インタフェース１７０および解錠阻止部３５を備えている。
【００２７】
制御部１２０は、ＣＰＵ等で構成され、ＲＯＭ１３０またはハードディスクドライブ１６０に格納されたプログラムに従って出納機１００の全体を制御する。
【００２８】
記憶部としてのＲＯＭ１３０またはハードディスクドライブ１６０（以下、記憶部１３０、１６０ともいう）は、各種プログラム、在高情報、日時情報、ロック部識別情報等の情報を記憶している。ＲＡＭ１４０は、プログラムのロード領域やプログラム実行時における作業領域となる。
【００２９】
インタフェース１７０は、図１に示すように出納機１００と鍵管理装置２００とを通信可能に接続する。例えば、出納機１００と鍵管理装置２００とは、無線ＬＡＮ、光ＬＡＮ等で通信可能なように接続されている。出納機１００は、インタフェース１９を介して、鍵管理装置２００から様々な情報を受け取り、あるいは、鍵管理装置２００に対して様々な情報を送信することができる。
【００３０】
束紙幣出金装置１１４、バラ紙幣入出金装置１１５、包装硬貨出金装置１１６、および、バラ硬貨入出金装置１１７は、それぞれ貨幣を収納する収納庫１１４ａ〜１１７ａを備えている。収納庫１１４ａは束紙幣を収納し、収納庫１１５ａはバラ紙幣を収納し、収納庫１１６ａは包装硬貨を収納し、収納庫１１７ａはバラ硬貨を収納している。各装置１１５、１１７は、表示部１０２または操作部１０４で入力された指示に従って、それぞれの入金口１０９、１１３に投入された貨幣を収納庫１１５ａ、１１７ａへ搬送し、その貨幣を収納するように構成されている。また、各装置１１４〜１１７は、表示部１０２または操作部１０４で入力された指示に従って、それぞれの収納庫１１４ａ〜１１７ａに収納された貨幣を出金口１０８、１１０〜１１２へ搬送し、その貨幣を投出することができるように構成されている。
【００３１】
ロック部３４〜３７は、図２に示すように、外カバー２４〜２７を施錠／解錠するために設けられており、収納庫１１４ａ〜１１７ａへのアクセスを許可または禁止するように構成されている。ロック部１３４〜１３７が、収納庫１１４ａ〜１１７ａにも設けられており、収納庫１１４ａ〜１１７ａの取出しを制限したり、あるいは、収納庫１１４ａ〜１１７ａの開閉を制限する。ロック部３４〜３７、１３４〜１３７は、機械的な錠、電磁ロック等のいずれでもよい。
【００３２】
解錠阻止部４４〜４７、１４４〜１４７は、各ロック部３４〜３７、１３４〜１３７に対応して設けられており、ロック部３４〜３７、１３４〜１３７の解錠を許可または禁止するように構成されている。制御部１２０は、解錠阻止部４４〜４７、１４４〜１４７を制御して、ロック部３４〜３７、１３４〜１３７の解錠を許可または禁止することができる。解錠阻止部４４〜４７、１４４〜１４７がロック部３４〜３７、１３４〜１３７の解錠を許可すると、操作者は、対応するロック部３４〜３７、１３４〜１３７を鍵で解錠することができる。これにより、操作者は、外カバー２４〜２７を開き、装置１１４〜１１７の内部へアクセスすることができ、あるいは、収納庫１１４ａ〜１１７ａを取出すことできる。制解錠阻止部４４〜４７、１４４〜１４７がロック部３４〜３７、１３４〜１３７の解錠を禁止している場合には、操作者は、鍵でロック部３４〜３７を解錠することができない。これにより、操作者は、装置１１４〜１１７の内部へアクセスすることができず、あるいは、収納庫１１４ａ〜１１７ａを取出すことができない。
【００３３】
解錠阻止部４４〜４７、１４４〜１４７は、複数のロック部３４〜３７、１３４〜１３７のうち任意のロック部の解錠を許可することができる。例えば、制御部１２０は、解錠阻止部４４を制御して、束紙幣出金装置１１４の外カバー２５のロック部３４のみを解錠可能にし、他のロック部３５〜３７、１３４〜１３７を解錠禁止にすることができる。
【００３４】
図４は、ロック部３４および解錠阻止部４４の構成の一例を示す図である。他のロック部３５〜３７、１３４〜１３７の構成および他の解錠阻止部４５〜４７、１４４〜１４７の構成は、それぞれロック部３４および解錠阻止部４４の構成と同様でよいので、それらの説明を省略する。解錠阻止部４４は、ロック部３４に対応して設けられており、ロック部３４の解錠を許可または禁止するように構成されている。
【００３５】
ロック部３４は、支承杆３２３と、カム３２５と、ロック板３２７と、電磁ソレノイド３２９と、ラッチングソレノイド３３１とを備えている。
【００３６】
支承杆３２３は、支軸３３５を支点として揺動可能に構成されている。軸３３９は、鍵穴３３７に挿入された鍵により、回動するようになっている。カム３２５は、軸３３９に固定されており、鍵穴３３７の回転に伴って回転するように構成されている。カム３２５は、凸部３２５ａを有しており、回転によって支承杆３２３の左端を押し下げるように構成されている。
【００３７】
支承杆３２３の右端には、連動杆３４３が接続されている。連動杆３４３の下端には、ロック板３２７が接続されている。ガイド板３４７は、出納機１００に固定されており、ガイド板３４７は、ロック板３２７を図４の上下方向にスライドできるように保持している。
【００３８】
バネ３４９が連動杆３４３と出納機１００との間に配設されており、バネ３４９は連動杆３４３を図４の下方向に付勢している。従って、支承杆３２３の右端は、バネ３４９により下方向に付勢され、支承杆３２３の左端は、上方向に付勢されている。これにより、支承杆３２３の左端は、カム３２５に弾性的に接触するので、支承杆３２３の左端は、カム３２５の回転に伴って凸部３２５ａによって押し下げられ、かつ、カム３２５を元に戻すとカム３２５に接触しながら上昇する。
【００３９】
ロック板３２７の下端は、支承杆３２３が水平に保持された状態において、外カバー２２４に設けられた切欠３５１に挿入されている。これにより、外カバー２４は、ロックされており、開けることができない。なお、図４中の一点鎖線は、外カバー２４の上端を示している。
【００４０】
解錠阻止部４４は、連動杆３５３と、駆動軸３２９ａと、電磁ソレノイド３２９とを備えている。連動杆３５３は、支承杆３２３の支軸３３５と左端との間に接続されている。電磁ソレノイド３２９は、連動杆３５３に接続された駆動軸３２９ａが上下方向に動作することを可能とし、あるいは、駆動軸３２９ａが上下方向に動作しないように固定する。電磁ソレノイド３２９が駆動軸３２９ａの動作を可能とする場合には、支承杆３２３が揺動可能となり、ロック部３４は、鍵で解錠可能となる。即ち、この場合、解錠阻止部４４は、ロック部３４の解錠を許可した状態になる。電磁ソレノイド３２９が駆動軸３２９ａを固定している場合には、支承杆３２３は揺動不可となり、ロック部３４は鍵で解錠できない。即ち、この場合、解錠阻止部４４は、ロック部３４の解錠を禁止した状態になる。このように、解錠阻止部４４は、ロック部３４の解錠を許可／禁止することができる。
【００４１】
ラッチングソレノイド３３１は、上下方向にスライドする作動杆３５９を備える。ラッチングソレノイド３３１は、作動杆３５９がカム３２５によって下方へ押し下げられたり、バネ３４９によって上方へ押し戻されたりした場合に、それぞれの位置で作動杆３５９を保持するように構成されている。尚、バネ３４９が作動杆３５９を上方へ押し戻すことができるように、ラッチングソレノイド３３１が作動杆３５９を保持する力は、バネ３４９の弾性力よりも弱いものとする。
【００４２】
このような構成により、ロック部３４は、鍵を用いてカム３２５を回転させることによって、外カバー２４を解錠することができる。解錠阻止部４４は、電磁ソレノイド３２９の制御によってロック部３４の解錠を許可／禁止することができる。
【００４３】
図５は、鍵管理装置２００の構成を示す斜視図である。鍵管理装置２００は、扉２０２にて開閉される鍵収納部２０３を備える。鍵収納部２０３には、複数の鍵保持部２０５が設けられている。鍵保持部２０５は、ロック部３４〜３７、１３４〜１３７を解錠しあるいは施錠する複数の鍵４００を着脱可能に保持する。より詳細には、鍵４００は、キーホルダー２０４に繋がれており、鍵保持部２０５は、キーホルダー２０４を保持し、キーホルダー２０４を介して鍵４００を保持する。鍵保持部２０５は、キーホルダー２０４の取出しを許可／禁止することができるようにロック機構２２４（図６参照）を有する。鍵保持部２０５は、特定のキーホルダー２０４の取出しを許可する場合、他のキーホルダー２０４の取出しを禁止することができる。キーホルダー２０４のロック機構２２４については、当業界において周知の技術であるので、その詳細な説明を省略する。
【００４４】
鍵使用状態表示部２０６が鍵保持部２０５に対応して設けられている。鍵使用状態表示部２０６は、キーホルダー２０４が鍵保持部２０５に挿入されているときには消灯しており、キーホルダー２０４が鍵保持部２０５から取出されているときには点灯するように構成されている。
【００４５】
緊急解錠部２０７は、緊急時に全てのキーホルダー２０４を鍵保持部２０５から取出し可能とするために設けられている。プリンタ２０８は、鍵４００の使用状況を示すログを印刷するために設けられている。
【００４６】
開閉検知部２１２は、扉２０２の開状態／閉状態を検知するように構成されている。開閉検知部２１２は、扉２０２を閉じたときに、扉２０２に設けられた検知突起部２１３が挿入されることによって扉２０２の閉状態を検知し、扉２０２を開いたときに、扉２０２に設けられた検知突起部２１３が抜き出されることによって、扉２０２の開状態を検知するように構成されている。
【００４７】
カードリーダ２１５は操作者のＩＤカードを読み取るために設けられている。操作者が情報を鍵管理装置２００へ入力するために表示部２１６および操作部２１７が設けられている。操作部２１７は、例えば、キーボード式入力部である。表示部２１６は、例えば、タッチパネル式液晶表示装置でもよい。この場合、操作部２１７を省略して、操作者は表示部２１６から情報を入力してもよい。
【００４８】
緊急解扉部２１８は、緊急時に扉２０２を開けるために設けられている。２１９は、電源スイッチである。
【００４９】
このような構成により、鍵管理装置２００は、任意の鍵４００（キーホルダー２０４）を鍵保持部２０５から取出し可能にし、その他の鍵を鍵保持部２０５から取り出すことを禁止することができる。
【００５０】
図６は、鍵管理装置２００の内部構成を示すブロック図である。鍵管理装置２００は、さらに、制御部２２１と、記憶部２２２と、警告部２２６と、通信インタフェース２２５とを備えている。
【００５１】
記憶部２２２は、鍵４００の取出しおよび返却に関する鍵使用状況のデータ等を記憶する。記憶部２２２は、鍵管理装置２００内の鍵保持部２０５の識別情報と、鍵保持部２０５に一対一で対応するキーホルダー２０４のキーホルダー識別情報と、出納機１００の各ロック部３４〜３７、１３４〜１３７を識別するロック部識別情報と、ロック部３４〜３７、１３４〜１３７に対応する複数の鍵４００を識別する鍵識別情報と、鍵管理装置２００を使用可能な操作者のＩＤ情報と、後述するイベントコードとを格納している。キーホルダー２０４の識別情報は、各キーホルダー２０４に繋がれた鍵４００の鍵識別情報と互いに関連付けされている。また、鍵４００の鍵識別情報は、ロック部識別情報と互いに関連付けられている。つまり、鍵保持部２０５の識別情報、キーホルダー２０４の識別情報、鍵４００の鍵識別情報およびロック部識別情報は、互いに関連付けられている。よって、鍵保持部２０５からキーホルダー２０４が取出された場合、鍵管理装置２００は、そのキーホルダー２０４を特定できるだけでなく、取出されたキーホルダー２０４に繋がれた単数または複数の鍵４００、および、それらの鍵４００に対応する出納機１００のロック部３４〜３７、１３４〜１３７を特定することができる。
【００５２】
また、記憶部２２２は、鍵管理装置２００を使用可能な操作者のＩＤ情報を格納しているので、操作者によって使用可能な鍵４００を制限することができる。例えば、鍵管理装置２００の操作者が一般行員である場合、制御部２２１は、鍵保持部２０５から取出し可能な鍵４００を制限することができる。一方、鍵管理装置２００の操作者が役席者である場合、制御部２２１は、鍵保持部２０５から取出し可能な鍵４００を制限することなく、全ての鍵４００を取出し可能にすることができる。
【００５３】
さらに、記憶部２２２は、キーホルダー２０４または鍵４００の使用状況を示すログを全て記憶する。
【００５４】
通信インタフェース２２５は、出納機１００と通信可能に接続されている。従って、鍵管理装置２００は、鍵保持部２０５から或るキーホルダー２０４が取出された場合、そのキーホルダー２０４に繋がれた単数または複数の鍵４００の鍵識別情報および該鍵４００に対応するロック部識別情報を出納機１００へ送信することができる。
【００５５】
警告部２２６は、キーホルダー２０４が鍵保持部２０５から強制的に抜き取られた場合等のように緊急時に警告音または警告表示等を発生するように構成されている。
【００５６】
図７は、鍵部としてのキーホルダー２０４および鍵４００の構成を示す図である。キーホルダー２０４は、リンク部２３０によって鍵４００と繋がれている。リンク部２３０は、鍵４００をキーホルダー２０４から取り外せないように構成されている。図７では、１つのキーホルダー２０４に対して複数の鍵４００が繋がれている。実際には、このように複数の鍵４００ごとにキーホルダー２０４を割り当てることが多い。１つのキーホルダー２０４に繋がれる複数の鍵４００の組み合わせは任意である。例えば、外カバー２４のロック部３４に対応する鍵と収納庫１１４ａのロック部１３４に対応する鍵とを１つのキーホルダー２０４にまとめてもよい。つまり、外カバーの鍵とそれに対応する収納庫の鍵とをそれぞれ１つのキーホルダー２０４にまとめてもよい。あるいは、外カバー２４〜２７のロック部３４〜３７の鍵を１つのキーホルダー２０４にまとめてもよい。
【００５７】
図８は、第１の実施形態に従った鍵管理装置と貨幣処理装置とからなるシステムの動作を示すフロー図である。通常業務において単に貨幣を入金または出金する場合には、鍵４００は不要である。しかし、出納機１００においてイベントが発生した場合には、操作者は、鍵４００で外カバー２４〜２７のいずれかを開け、さらに、収納庫１１４ａ〜１１７ａにアクセスする必要がある。
【００５８】
イベントとは、業務の締め時に貨幣の装填／回収のために収納庫１１４ａ〜１１７ａを取り外すこと（第１のイベント）、業務の開始時に貨幣の装填／回収のために収納庫１１４ａ〜１１７ａを取り付けること（第２のイベント）、紙幣詰まり等のエラー（第３のイベント）、保守点検作業（第４のイベント）等、鍵４００を必要とする事象である。各イベントには、イベントコードが付されている。イベントコードは、各イベントを区別するための識別情報である。各イベントの実行または解決のために必要な鍵４００およびロック部３４〜３７、１３４〜１３７は或る程度限定される。従って、鍵管理装置２００の記憶部２２２は、イベントコードを鍵識別情報およびロック部識別情報に関連付けて格納している。
【００５９】
例えば、第１および第２のイベントの場合、外カバー２４〜２７のロック部３４〜３７に対応する鍵および収納庫１１４ａ〜１１７ａのロック部１４４〜１４７に対応する鍵の両方が必要となる。従って、第１および第２のイベントのイベントコードは、ロック部３４〜３７、１３４〜１３７のロック部識別情報と関連付けられている。第３および第４のイベントの場合、外カバー２４〜２７を開ける必要はあるが、収納庫１１４ａ〜１１７ａを取り外す必要はない。従って、第３および第４のイベントのイベントコードは、ロック部３４〜３７のロック部識別情報と関連付けられているが、収納庫１１４ａ〜１１７ａに対応する鍵およびロック部１４４〜１４７のロック部識別情報とは関連付けられていない。
【００６０】
出納機１００においてイベントが発生すると、まず、出納機１００は、イベントの内容およびイベントの発生箇所を表示部１０２に表示する。操作者は、イベントの内容および発生箇所を把握すると、鍵を取出すために、鍵管理装置２００のカードリーダ２１５に自己のＩＤカードを通す。カードリーダ２１５が操作者のＩＤ情報を読み取る（Ｓ１０）。鍵管理装置２００は、カードリーダ２１５で読み取ったＩＤ情報と記憶部２２２に格納されたＩＤ情報とを比較し、その操作者が鍵管理装置２００の使用許可者であるか否かを判定する（Ｓ２０）。操作者が鍵管理装置２００の使用許可者でない場合には、鍵管理装置２００は、操作者が鍵４００を使用できない旨を表示部２１６に表示し、終了する。
【００６１】
操作者が鍵管理装置２００の使用許可者である場合には、鍵管理装置２００は、操作者にイベントコードの入力を要求する（Ｓ３０）。操作者が操作部２１７または表示部（タッチパネル）２１６を操作してイベントコードを入力すると、鍵管理装置２００は、扉２０２を解錠する（Ｓ４０）。このとき、イベントの種類はイベントコードによって特定されているので、取出し可能な鍵４００およびキーホルダー２０４は、或る程度限定される。
【００６２】
次に、鍵管理装置２００は、イベントの生じた箇所のロック部識別情報、イベントの生じた箇所に対応する鍵の鍵識別情報、あるいは、イベントの生じた箇所に対応する鍵を保持するキーホルダーの識別情報のいずれかの入力を操作者に要求する（Ｓ５０）。尚、本実施形態によるシステムに複数の貨幣処理装置が含まれている場合、鍵管理装置２００は、貨幣処理装置を特定するための装置識別情報の入力も要求する。この場合、装置識別情報も予め記憶部２２２に格納されている。
【００６３】
操作者が、操作部２１７または表示部２１６を操作して、ロック部識別情報、鍵識別情報、あるいは、キーホルダー識別情報のいずれかを入力すると、鍵管理装置２００の鍵保持部２０５は、入力されたロック部識別情報、鍵識別情報、あるいは、キーホルダー識別情報によって特定される鍵４００およびキーホルダー２０４の取出しを許可する（Ｓ６０）。鍵保持部２０５は、その他のキーホルダー２０４の取出しを禁止する。以下、鍵管理装置２００に入力されたイベントコード、並びに、ロック部識別情報、鍵識別情報、あるいは、キーホルダー識別情報を、便宜的に“イベント情報”とも言う。
【００６４】
このように、鍵管理装置２００の制御部２２１は、鍵４００またはキーホルダー２０４を特定することができるイベント情報に基づいて、特定の鍵４００および特定のキーホルダー２０４のみの取出しを許可するように鍵保持部２０５を制御する。以下、便宜的に、イベント情報によって取出し可能になった鍵４００およびキーホルダー２０４を、それぞれ第１の鍵４００および第１のキーホルダー２０４も言う。
【００６５】
操作者は、第１の鍵４００および第１のキーホルダー２０４を鍵保持部２０５から取出し、イベントが発生した出納機１００へ向かう。
【００６６】
鍵管理装置２００は、ロック部識別情報を含むイベント情報を出納機１００へ送信する（Ｓ７０）。イベント情報の送信は、操作者によるイベント情報の入力をトリガーとして実行されてもよく、あるいは、操作者による第１の鍵４００および第１のキーホルダー２０４の取出しをトリガーとして実行されてもよい。
【００６７】
出納機１００の記憶部１３０、１６０は、ロック部識別情報を格納しているので、出納機１００は、ロック部識別情報を含むイベント情報によって、第１の鍵４００に対応するロック部（以下、第１のロック部とも言う）を特定することができる。よって、出納機１００がイベント情報を受け取ると、解錠阻止部４４〜４７、１４４〜１４７は、イベント情報によって特定される第１のロック部のみの解錠を許可する（Ｓ８０）。尚、代替的に、出納機１００の記憶部１３０、１６０は、鍵管理装置２００の記憶部２２２と同様に、ロック部識別情報、鍵識別情報およびキーホルダー識別情報を互いに関連付けて格納していてもよい。これにより、鍵管理装置２００が送信するイベント情報は、イベントコードの他、ロック部識別情報、鍵識別情報またはキーホルダー識別情報のいずれかの情報を有すればよく、このようなイベント情報によって出納機１００は第１のロック部を特定することができる。
【００６８】
例えば、第１のロック部がロック部３４であるとする。第１のロック部３４は、第１の鍵４００と対応しており、第１の鍵４００によって解錠することができる。ここで、上述の通り、第１のキーホルダー２０４は、第１の鍵を含む複数の鍵を保持している場合がある。この場合、第１の鍵以外の鍵は不要であるにもかかわらず、操作者は、第１の鍵以外の鍵を使用することができる。しかし、本実施形態によるシステムでは、解錠阻止部４４〜４７、１４４〜１４７は、イベント情報によって特定される第１のロック部３４のみの解錠を許可し、その他のロック部３５〜３７、１３４〜１３７の解錠を禁止する。これにより、操作者は、第１のロック部３４のみを第１の鍵で解錠することができるが、第１のロック部３４以外のロック部３５〜３７、１３４〜１３７を解錠することはできない。その結果、本実施形態によるシステムは、不必要な鍵の使用を制限し、鍵の不正使用を防止することができる。
【００６９】
操作者が、第１の鍵４００を使用して第１のロック部３４を解錠し、外カバー２４を開け、束紙幣出金装置１１４において生じたイベントを解消する（Ｓ９０）。
【００７０】
次に、外カバー２４を閉じて第１のロック部３４を施錠した（Ｓ９５）後、操作者が第１の鍵４００および第１のキーホルダー２０４を鍵管理装置２００へ戻す（Ｓ１００）。尚、第１のロック部３４は、外カバー２４を閉じることで、自動で施錠するように構成してもよい。出納機１００の解錠阻止部４４は、第１のロック部３４の施錠をトリガーとして、第１のロック部３４を解錠禁止にする。鍵管理装置２００では、第１のキーホルダー２０４が鍵保持部２０５へ差し込まれると、鍵管理装置２００は、イベント情報（イベントコード、第１の鍵４００の鍵識別情報、第１のキーホルダー２０４の識別情報、および、ロック部３４のロック部識別情報）と、第１の鍵４００の取出し日時と、第１の鍵４００の返却日時と、操作者のＩＤ情報とを関連付けて記憶部２２２へログとして格納する（Ｓ１１０）。イベントごとのログは、全て記憶部２２２に格納されている。そして、プリンタ２０８は、必要に応じてイベントのログを印刷する。
【００７１】
操作者が扉２０２を閉じることによって、鍵管理装置２００は、扉２０２をロックする。これにより、本実施形態によるシステムの一連の動作が終了する。
【００７２】
本実施形態によるシステムは、第１のキーホルダー２０４が複数の鍵を保持している場合であっても、解錠阻止部が、第１の鍵に対応する第１のロック部のみの解錠を許可し、その他のロック部の解錠を禁止する。これにより、操作者は、第１のロック部のみを解錠することができ、第１のロック部以外のロック部を解錠することはできない。その結果、本実施形態は、不必要な鍵の使用を防止し、鍵の不正使用を防止することができ、それによりセキュリティを向上させることができる。
【００７３】
出納機１００が第１の鍵に対応する第１のロック部のみの解錠を許可し、その他のロック部の解錠を禁止する。これにより、鍵管理装置２００は、第１の鍵の持ち出し時間を、タイマー等を用いて制限する必要がなくなる。しかし、勿論、制御部２２１は、第１の鍵４００および第１のキーホルダー２０４が取出されてから第１の鍵４００および第１のキーホルダー２０４が返却されるまでの時間をタイマーによって監視してもよい。第１の鍵４００および第１のキーホルダー２０４が取出されてから所定時間経過した場合、警告部２２６が、アラームを発してもよい。これにより、第１の鍵４００および第１のキーホルダー２０４の持ち去りを防止できる。
【００７４】
さらに、出納機１００が第１の鍵に対応する第１のロック部のみの解錠を許可し、その他のロック部の解錠を禁止するので、たとえ、第１の鍵以外の鍵の合鍵が存在する場合であっても、不正を未然に防止することができる。
【００７５】
（第１の実施形態の変形例：追加イベントの発生）
ステップＳ１００において第１の鍵４００および第１のキーホルダー２０４が鍵管理装置２００へ返却される前に、第１の鍵４００が必要となる追加イベントが発生する場合がある。このような場合、操作者は、第１の鍵４００を返却すること無く、第１の鍵４００を使用できれば便利である。
【００７６】
そこで、本変形例による鍵管理装置２００は、第１の鍵４００および第１のキーホルダー２０４を鍵管理装置２００へ返却する前に、追加イベントが発生した場合、追加イベントのイベントコードの入力を条件に、第１の鍵４００および第１のキーホルダー２０４を引き続き使用することを許可する。
【００７７】
図９は、第１の実施形態の変形例によるシステムの動作を示すフロー図である。第１の鍵４００を必要とする追加イベントが発生した場合、操作者は、イベントコード（以下、追加イベントコードとも言う）を入力する（Ｓ１２０）。
【００７８】
鍵管理装置２００は、追加イベントコードに基づいて、第１のロック部３４のロック部識別情報を含む“追加イベント情報”を出納機１００へ送信する（Ｓ１３０）。追加イベントコードの内容は、実質的にはステップＳ７０で送信したイベントコードと同じでもよい。
【００７９】
出納機１００は、第１の実施形態と同様にステップＳ８０〜Ｓ９５を実行すればよい。これにより、操作者は、第１のロック部３４を第１の鍵４００で解錠し、追加イベントを解消することができる。
【００８０】
その後、操作者が第１の鍵４００および第１のキーホルダー２０４を鍵管理装置２００へ戻す（Ｓ１４０）。第１のキーホルダー２０４が鍵保持部２０５へ差し込まれると、鍵管理装置２００は、イベント情報と、追加のイベント情報と、第１の鍵４００の取出し日時と、第１の鍵４００の返却日時と、操作者のＩＤ情報とを関連付けて記憶部２２２へログとして格納する（Ｓ１５０）。
【００８１】
本変形例によれば、追加イベントが発生した場合に、操作者は、第１の鍵４００および第１のキーホルダー２０４を一旦返却すること無く、第１の鍵４００および第１のキーホルダー２０４を引き続き使用することができる。従って、本変形例によるシステムは、鍵の使用について利便性を向上させることができる。
【００８２】
（第２の実施形態）
図１０は、本発明に係る第２の実施形態に従った鍵管理装置と貨幣処理装置とからなるシステムの動作を示すフロー図である。第２の実施形態によるシステムの構成は、第１の実施形態によるシステムの構成と同様でよい。
【００８３】
第１の実施形態では、イベント情報は、操作者によって鍵管理装置２００へ入力されている。しかし、第２の実施形態では、イベント情報は、出納機１００において生成され、出納機１００から鍵管理装置２００へ送信される。イベント自体は、出納機１００において発生するため、出納機１００はイベント情報を作成することができる。例えば、出納機１００の貨幣の搬送路において紙幣が詰まった場合、出納機１００は第３のイベントのイベントコードおよびそのイベントが発生した箇所のロック部に対応するロック部識別情報を生成することができる。この場合、出納機１００の記憶部１３０、１６０は、イベントコードおよびロック部識別情報を予め格納している。
【００８４】
出納機１００がイベント情報を生成すると（Ｓ２００）、出納機１００は、イベント情報を鍵管理装置２００へ送信する（Ｓ２１０）。
【００８５】
鍵管理装置２００は、出納機１００からイベント情報を入力し（Ｓ２２０）、図８のステップＳ１０、Ｓ２０、Ｓ６０〜Ｓ１１０を実行する。ステップＳ２０において、操作者が鍵管理装置２００の使用許可者でない場合には、ステップＳ１０へ戻り、鍵管理装置２００は、再度、操作者にＩＤ情報の入力を要求する。
【００８６】
尚、図１１に示すように、ステップＳ２１０の実行とともに、出納機１００の制御部１２０は、出納機１００で生成されたイベント情報を直接用いて、イベントが発生した箇所のロック部を解錠可能にするために解錠阻止部を制御してもよい。この場合、鍵管理装置２００は、ステップＳ７０におけるイベント情報の送信をスキップすることができる。
【００８７】
第２の実施形態では、出納機１００がイベント情報を生成するので、操作者がイベント情報を鍵管理装置２００へ入力する必要がない。よって、操作者による操作が第１の実施形態より簡単になる。
【００８８】
第２の実施形態は、第１のキーホルダー２０４が複数の鍵を保持している場合であっても、解錠阻止部が、第１の鍵に対応する第１のロック部のみの解錠を許可し、その他のロック部の解錠を禁止することができる。これにより、第２の実施形態も、第１の実施形態と同様の効果を得ることができる。
【００８９】
（第２の実施形態の変形例：追加イベントの発生）
本変形例による鍵管理装置２００は、第１の鍵４００および第１のキーホルダー２０４を鍵管理装置２００へ返却する前に、追加イベントが発生した場合、出納機１００は、追加イベント情報をさらに生成し、追加イベント情報を鍵管理装置２００へ送信する。鍵管理装置２００は、追加イベント情報に基づいて、第１の鍵４００および第１のキーホルダー２０４を引き続き使用することを許可する。
【００９０】
図１２は、第２の実施形態の変形例によるシステムの動作を示すフロー図である。第１の鍵４００を必要とする追加イベントが発生した場合、出納機１００は、追加イベント情報をさらに生成する（Ｓ３００）。そして、出納機１００は、その追加イベント情報を鍵管理装置２００へ送信する（Ｓ３１０）。追加イベント情報の内容は、実質的にはステップＳ７０で送信したイベント情報と同じでよい。
【００９１】
鍵管理装置２００は、追加イベント情報を出納機１００から受け取る（Ｓ３２０）。追加イベント情報に従って、鍵管理装置２００は、第１の鍵４００および第１のキーホルダー２０４の取出しの許可状態をそのまま維持する（Ｓ３３０）。鍵管理装置２００は、追加イベント情報を出納機１００へ送信する（Ｓ１３０）。
【００９２】
出納機１００は、第２の実施形態と同様にステップＳ８０〜Ｓ９５を実行すればよい。これにより、操作者は、第１のロック部３４を第１の鍵４００で解錠し、追加イベントを解消することができる。
【００９３】
その後、操作者が第１の鍵４００および第１のキーホルダー２０４を鍵管理装置２００へ戻す（Ｓ１４０）。第１のキーホルダー２０４が鍵保持部２０５へ差し込まれると、鍵管理装置２００は、イベント情報と、追加のイベント情報と、第１の鍵４００の取出し日時と、第１の鍵４００の返却日時と、操作者のＩＤ情報とを関連付けて記憶部２２２へログとして格納する（Ｓ１５０）。
【００９４】
本変形例によれば、追加イベントが発生した場合に、操作者は、第１の鍵４００および第１のキーホルダー２０４を一旦返却すること無く、第１の鍵４００および第１のキーホルダー２０４を引き続き使用することができる。従って、本変形例によるシステムは、鍵の使用について利便性を向上させることができる。
【００９５】
尚、図１３に示すように、ステップＳ３１０の実行とともに、出納機１００の制御部１２０は、出納機１００で生成されたイベント情報を直接用いて、イベントが発生した箇所のロック部を解錠可能にするために解錠阻止部を制御してもよい。この場合、出納機１００の制御部１２０は、出納機１００で生成されたイベント情報に基づいて、イベントが発生した箇所のロック部を解錠可能にするために解錠阻止部を制御する。鍵管理装置２００は、ステップＳ１３０におけるイベント情報の送信をスキップすることができる。
【００９６】
以上の第１から第３の実施形態において、出納機１００および鍵管理装置２００は、さらに操作者のＩＤ情報によって使用可能なロック部および鍵を制限してもよい。例えば、一般行員（下位権限者）は、外カバー２４〜２７のロック部３４〜３７を解錠する権限を有するが、収納庫１１４ａ〜１１７ａのロック部１３４〜１３７を解錠する権限を有しない場合がある。この場合、一般行員のＩＤ情報が入力されると、鍵管理装置２００は、ロック部３４〜３７に対応する鍵を取出し可能とし、ロック部１３４〜１３７に対応する鍵を取出し禁止とする。
【００９７】
そして、イベント情報は、操作者のＩＤ情報をさらに含む。これにより、一般行員のＩＤ情報が入力された場合に、出納機１００の制御部１２０は、ロック部３４〜３７の解錠を可能にするように解錠阻止部４４〜４７を制御し、ロック部１３４〜１３７の解錠を禁止するように解錠阻止部１４４〜１４７を制御する。
【００９８】
役席者（上位権限者）のＩＤ情報が入力された場合には、出納機１００および鍵管理装置２００は、使用可能なロック部および鍵を制限しない。
【００９９】
尚、一般行員が使用できる鍵と一般行員が使用できない鍵（役席者のみ使用が許可されている鍵）とが１つのキーホルダー２０４に繋がれている場合がある。例えば、上記の例では、ロック部３４および１３４に対応する２つの鍵が１つのキーホルダー２０４に繋がれている場合がある。このような場合、一般行員は、ロック部３４のみを解錠するためにキーホルダー２０４を取り出すと、ロック部１３４に対応する鍵も使用可能になってしまう。しかし、上記第１から第３の実施形態は、操作者が一般行員である場合、出納機１００において解錠阻止部１４４〜１４７がロック部１３４〜１３７の解錠を禁止している。従って、ロック部３４および１３４に対応する２つの鍵が１つのキーホルダー２０４に繋がれていても、一般行員は、ロック部１３４を解錠することができない。これにより、上記実施形態は、鍵の不正使用をより効果的に防止することができる。
【０１００】
上記実施形態によるシステムは、１つの出納機１００が貨幣処理装置として鍵管理装置２００に接続されている。しかし、複数の出納機１００が鍵管理装置２００に接続されていてもよい。また、出納機１００だけでなく、窓口機、整理機、出納機、両替機、ＡＴＭ等が貨幣処理装置として鍵管理装置２００に接続されていてもよい。この場合、イベントの生じた貨幣処理装置のロック部のみの解錠が許可され、他の貨幣処理装置のロック部の解錠は禁止状態を維持する。これにより、複数の貨幣処理装置の鍵が１つのキーホルダー２０４にまとめて繋がれていても、操作者は、イベントの生じた貨幣処理装置のロック部のみ解錠することができ、他のロック部を解錠することはできない。その結果、不必要な鍵の使用を制限し、鍵の不正使用を防止することができる。
【符号の説明】
【０１０１】
１００・・・出納機、２００・・・鍵管理装置、３００・・・鍵管理装置と貨幣処理装置とからなるシステム
１０１・・・ＩＤカードリーダ、１０２・・・表示部、１０４・・・操作部、１０８・・・束紙幣出金口、１０９・・・紙幣投入口、１１０・・・紙幣出金口、１１１・・・包装硬貨出金口、１１２・・・硬貨出金口、１１３・・・硬貨投入口、１１４・・・束紙幣出金装置、１１５・・・バラ紙幣入出金装置、１１６・・・包装硬貨出金装置、１１７・・・バラ硬貨入出金装置、２４〜２７、３４〜３７・・・外カバー、１１４ａ〜１１７ａ・・・収納庫、１３４〜１３７・・・ロック部、４４〜４７、１４４〜１４７・・・解錠阻止部、１２０・・・制御部、１３０、１６０・・・記憶部、１７０・・・通信ＩＦ、２０２・・・扉、２０３・・・鍵収納部、２０４・・・キーホルダー、２０５・・・鍵保持部、４００・・・鍵、２２１・・・制御部、２２２・・・記憶部、２１５・・・カードリーダ、２１６・・・表示部、２１７・・・操作部
【図１】
2013067975.tif 000003
【図２】
2013067975.tif 000004
【図３】
2013067975.tif 000005
【図４】
2013067975.tif 000006
【図５】
2013067975.tif 000007
【図６】
2013067975.tif 000008
【図７】
2013067975.tif 000009
【図８】
2013067975.tif 000010
【図９】
2013067975.tif 000011
【図１０】
2013067975.tif 000012
【図１１】
2013067975.tif 000013
【図１２】
2013067975.tif 000014
【図１３】
2013067975.tif 000015